(57)【要約】  本発明は、少なくとも１つの活性層と、１つの側面上に光学的構造体のアレイを含有し且つ前記活性層の受光面と光学的に接触して前記面の反射損失を低減させるカバープレートとを含む、光起電力素子に関する。前記プレート又はシートは、発光分子と組み合わせて使用してもよく、これは内側であるか又は前記プレートと接触しており、光起電力素子のスペクトル反応を改善する。光学的レリーフ構造体は底面及び単一の平坦な頂上部を含み、これらは少なくとも３つのｎ−多角形表面（ｎは３以上である）によってつながっている。
2013507756.tif 000002
【特許請求の範囲】
【請求項１】
少なくとも１つの活性層と、１つの側面上に幾何光学的レリーフ構造体のアレイを含有し且つ光起電力素子の前記少なくとも１つの活性層の受入面と光学的に接触している透明なカバープレートとを含む光起電力素子であって、前記光学的レリーフ構造体が底面及び単一の平坦な頂上部を含み、これらが少なくとも３つのｎ−多角形表面（ｎは３以上である）によってつながっていることを特徴とする、光起電力素子。
【請求項２】
少なくとも１つの活性層と、第１の側面上に幾何光学的レリーフ構造体のアレイを含有し且つ第２の側面で光起電力素子の前記少なくとも１つの活性層の受入面と光学的に接触している透明なカバープレートとを含む光起電力素子であって、前記光学的レリーフ構造体が底面及び単一の平坦な頂上部を含み、これらが少なくとも３つのｎ−多角形表面（ｎは３以上である）によってつながっていることを特徴とする、光起電力素子。
【請求項３】
光学的レリーフ構造体が底面及び単一の平坦な頂上部を含み、これらが少なくとも３つのｎ−多角形表面（ｎは５以上である）によってつながっている、請求項１又は２に記載の光起電力素子。
【請求項４】
光学的レリーフ構造体の底面がｍ側面の多角形形状であり且つ前記光学的構造体が少なくともｍ＋１個の表面を含有することを特徴とする、請求項１から３までのいずれか１項に記載の光起電力素子。
【請求項５】
透明なカバープレートが、隣接する構造体が互いに接触している幾何光学的レリーフ構造体のアレイを含有することを特徴とする、請求項１から４までのいずれか１項に記載の光起電力素子。
【請求項６】
透明なカバープレートが、互いに同じ配向、交互の配向又はランダムな配向を有する幾何光学的レリーフ構造体のアレイを含有することを特徴とする、請求項１から５までのいずれか１項に記載の光起電力素子。
【請求項７】
光学的レリーフ構造体のアレイの表面がコーティングで被覆されていることを特徴とする、請求項１から６までのいずれか１項に記載の光起電力素子。
【請求項８】
コーティングが光学的レリーフ構造体とは異なる屈折率を有し、コーティングの形状が幾何光学的レリーフ構造体のアレイと相補的であり、且つコーティングを有する光起電力素子がさらに非レリーフ構造体を有することを特徴とする、請求項７に記載の光起電力素子。
【請求項９】
１つの側面に幾何光学的レリーフ構造体のアレイを含有する透明なカバープレートがガラス又はポリマー材料で作られていることを特徴とする、請求項１から８までのいずれか１項に記載の光起電力素子。
【請求項１０】
ポリマーがポリメチルメタクリレート又はポリカーボネートであることを特徴とする、請求項９に記載の光起電力素子。
【請求項１１】
ポリマーがＵＶ吸収剤及び／又はヒンダードアミン光安定剤によって安定化されることを特徴とする、請求項９又は１０に記載の光起電力素子。
【請求項１２】
発光染料が、光学的レリーフ構造体のアレイを含有する透明なカバープレートに存在することを特徴とする、請求項１から１１までのいずれか１項に記載の光起電力素子。
【請求項１３】
発光染料が、光学的レリーフ構造体のアレイを含有する透明なカバープレートと光起電力素子の活性層の受光面との間の層に存在することを特徴とする、請求項１から１２までのいずれか１項に記載の光起電力素子。
【請求項１４】
発光染料の濃度が、カバープレート表面ｍ２当たり及びカバープレート厚さｍｍ当たり染料０．００１〜５０グラムの間であることを特徴とする、請求項１から１３までのいずれか１項に記載の光起電力素子。
【請求項１５】
発光染料が有機染料又は無機染料であることを特徴とする、請求項１３又は１４に記載の光起電力素子。
【請求項１６】
発光染料がポリマーを安定化するためのＵＶ吸収剤として作用するが、但し、少なくとも１つの側面上に幾何光学的レリーフ構造体のアレイを含有する透明なカバープレートがポリマー材料で作られていることを特徴とする、請求項１３から１５までのいずれか１項に記載の光起電力素子。
【発明の詳細な説明】
【技術分野】
【０００１】
発明の詳細な説明
本発明は、少なくとも１つの活性層及び少なくとも１つの側面上に光学的構造体のアレイを含有するカバープレートを含み、且つ活性層の受光面と光学的に接触して前記面の反射損失を低減させる光起電力素子に関する。前記プレート又はシートは、発光分子と組み合わせて使用してもよく、これは内側であるか又は前記プレートと接触しており、光起電力素子のスペクトル反応を改善する。
【０００２】
光起電力素子は一般に光エネルギーを電気エネルギーに変換するために使用される。これらの素子は、光曝露時に荷電担体を生成する光吸収材料からなる活性層を含有する。現在、光起電力素子において一般的な活性層はシリコンである。しかしながら、例えば、ガリウム砒素（ＧａＡｓ）、テルル化カドミウム（ＣｄＴｅ）又はジセレン化銅インジウムガリウム（ＣＩＧＳ）などの種々の材料が生じ得る。活性層に生じる荷電は、電気を送る導電性接触子に分離される。活性層の薄く且つ脆い性質のために、これは通常、例えば、ガラス製の透明なカバープレートによって外的影響から保護される。活性層及びカバープレートの両方が光起電力素子への光入射の一部を反射することは当該技術分野から公知である。特に高い屈折率の活性層は、大きな反射損失を引き起こし、これはケイ素の場合、入射光の２２％までであり得る。反射光を電気エネルギーに変換することができないので、これらの反射損失は光起電力素子の効率の大幅な低下を引き起こす。
【０００３】
光起電力素子の効率を低下させる別の要因は、例えば、紫外線（ＵＶ）又は青色光などの通常短波長の活性層の低量子効率である。この低反応は、材料のバンドギャップによって引き起こされる。バンドギャップとは、価電子帯の上部と伝導帯の底部との間のエネルギー差を意味し、そこでは電子は１つのバンドから別のバンドへと飛越すことが可能である。このバンドギャップのために、活性層は最適な波長を有し、その周りでは光エネルギーは最も効率良く電気エネルギーに変換される。最適な波長よりも高い又は低い波長を有する光は、低効率で電気エネルギーに変換される。短波長範囲での光起電力素子のスペクトル反応を低減させ得る第２の効果は、カバープレートによる光の吸収である。カバープレートは通常、可視光に対して透過性であるが、これはＵＶ範囲で吸収することが多い。結果的に、この光は光起電力素子の活性層に到達できず、電気エネルギーに変換できない。
【０００４】
これらの反射損失を低減するために、反射防止コーティングを、光吸収材料又はいわゆる活性層の上に適用することができる。反射防止コーティングは、活性層とカバープレートの間の屈折率を有する、単一の四分の一波長層の透明材料からなる。これは理論的に中心波長でゼロの反射率を与え且つ中心周りの広いバンドで波長の反射率を低下させるが、これらの層の処理及び材料のコストは比較的高い。またコーティングを創り出すための処理技術（例えば、化学蒸着）は広範であり且つ時間がかかる。更に、反射防止コーティングはこれを適用する表面上でのみ働く。従って、活性層とカバープレートの両方の反射を、これらの表面のいずれかの上に１つの反射防止コーティングを使用して低減することは不可能である。
【０００５】
反射損失を低減する別の方法は、活性層の表面を構造化することである。これは、材料自体の直接的な構造化によって又は前記材料が堆積される基板の表面構造化によって行うことができる。通常ピラミッド又はＶ字形構造を有する、活性層の構造化によって、活性層での反射損失の低下は、光がパネルに入る機会をより多く与える表面での多重反射により得られる。この効果は活性層の表面での反射損失を低下させ、従って、しばしば反射防止効果と呼ばれる。第２に、この構造は、場合によっては、活性層に吸収されず且つ基板の表面で反射されない光を部分的に捕捉し得る。その結果、活性層による光の吸収の機会が増加する。活性層の構造化は光電池の効率を有意に向上させるが、製造方法は非常に複雑で且つ極めて費用がかかる。湿式化学エッチング、機械的エッチング又は反応性イオンエッチングなどのプロセスは、しばしば所望の効果を実現するために使用されている。活性層の構造化もカバープレートの反射損失を低下させない。
【０００６】
先の段落に記載されたのと同じ理論を、ガラスプレート、即ち、カバープレートの光透過性を改善するために使用できることが当該技術分野より公知である。ここで、Ｖ字形（G.A. Landis, 21st IEEE photovoltaic specialist conference, 1304-1307 (1990)）又はＷＯ０３／０４６６１７号に開示されたピラミッド構造がガラスプレートに適用されると、前記プレートの反射損失を低下させ、従ってその透過性を高める。これらの構造は、例えば、キャスティング又はプレッシングによってガラスプレートに適用できる。しかしながら、光起電力素子のカバープレートとしてプレートを使用する場合、モデル研究によれば、前記素子の最大効率は６％だけ増加し、これは約３０％の反射損失の低下である（U. Blieskeら、3rd World Conference on Photovoltaic Energy Conversion, 188-191 (2003年)）。実際には、結果はさらに低く、わずか３％のみ得られる。これらの構造は、活性層の反射損失を幾らか低下させるが、主にカバープレートの反射損失を低下させる。従って、反射損失の全体的な低下、及び光起電力素子の効率の増加は小さい。
【０００７】
文献ＦＲ２９１６９０１号及びさらにＷＯ２００８／１２２０４７号には、集光装置型の構造体が開示されている。これらの文献の頂上部を切った光学的構造体は、この頂上部を切った光学的構造体の平坦な頂上部に取り付けられた太陽電池に光を集めるために使用される。
【０００８】
文献ＦＲ２９１５８３４号には、太陽パネルの活性層のテクスチャリング方法が開示されている。この方法では、頂上部を切った光学的構造体の層は、ガラスと活性化層の境界面との間に配置されて活性化層をテクスチャリングする。
【０００９】
文献ＦＲ２９１６９０１号、ＷＯ２００８／１２２０４７号及びＦＲ２９１５８３４号の全ての場合に、太陽電池は頂上部を切った光学的構造体に取り付けられる。これは、頂上部を切った光学的構造体が太陽電池の活性層とつながっていることを意味する。
【００１０】
本発明の課題は、光起電力素子の効率を改善することと、素子の機械的統合性及び屋外耐久性を低下させずに、反射損失、特に活性層の反射損失が更に低減された光起電力素子を提供することである。
【００１１】
この課題は、請求項１の特徴を含む光起電力素子によって達成される。
【００１２】
光起電力素子は、少なくとも１つの活性層と、１つの側面上に幾何光学的レリーフ構造体のアレイを含有し且つ光起電力素子の少なくとも１つの活性層の受入面と光学的に接触している透明なカバープレートとを含み、それによって前記光学的レリーフ構造体が底面及び単一の平坦な頂上部を含み、これらは少なくとも３つのｎ−多角形表面（ｎは３以上である）によってつながっている。好ましくは、ｎは４以上である。
【００１３】
光起電力素子は、少なくとも１つの活性層と、第１の側面上に幾何光学的レリーフ構造体のアレイを含有し且つ第２の側面で光起電力素子の少なくとも１つの活性層の受入面と光学的に接触している透明なカバープレートとを含み、それによって前記光学的レリーフ構造体が底面及び単一の平坦な頂上部を含み、これらが少なくとも３つのｎ−多角形表面（ｎは３以上である）によってつながっている。好ましくは、ｎは４以上である。
【００１４】
カバープレートの第１の側面及び第２の側面は、好ましくは互いにほぼ平行であり、従って第１の側面は第２の側面の反対側である。
【００１５】
平坦な頂上部は幾何的構造体の上部領域として定義される。頂上部は単一の小さな平坦領域であり、これは該構造体の１つ以上の表面に配置されている。これが配置されているのは、構造体の表面を横切る底面からの基準の長さが最も長い所である。
【００１６】
幾何学的構造体の頂上部を切った部分は、好ましくは幾何学的構造体の平坦な頂上部である。頂上部を切った部分又は平坦な頂上部は、好ましくは光起電力素子の活性層と直接接触していない。
【００１７】
透明なカバープレートはたった１つの別個の幾何光学的レリーフ構造体を含有し得るが、好ましいのは、透明なカバープレートが幾何光学的レリーフ構造体のアレイを含有することである。アレイは要素の集まり又は群として理解されるべきであり、この場合、個々の光学的レリーフ構造体は、互いに隣接して配置されるか又は基板上に行及び列に配列されている。好ましくは、アレイは少なくとも４つの幾何光学的レリーフ構造体を含有する。
【００１８】
驚くことに、光学的レリーフ構造体を含むカバープレートが、光起電力素子の活性層の受光面の反射損失を低減させることが示され得るが、但し、前記カバープレートは前記活性層の受光側に光学的に接触して配置されている。この要求が満たされない場合、前記プレートを通して前記活性層への透過は、非構造化表面と比較して同等か又はそれより低いように低下する。
【００１９】
更に驚くことに、平坦な頂上部を有する光学的レリーフ構造体を有するカバープレートは、衝撃などの機械的応力に対して感度が低いことが見出された。このために、カバープレート自体が頑強であり且つピーク頂上構造を有するカバープレートよりも長い寿命を示す。
【００２０】
好ましくは、光学的レリーフ構造体は底面及び単一の平坦な頂上部を含み、これらは少なくとも３つのｎ−多角形表面（ｎは５以上である）によって互いにつながっている。
【００２１】
好ましくは、光学的レリーフ構造体の底面はｍ側面の多角形形状を含み且つ光学的構造体が全部で少なくともｍ＋１個の表面を有する。
【００２２】
本発明による光学的レリーフ構造体は２つの主要な機能を有する：
１．ｎ側面の多角形底面を介して構造体に入る光は、前記構造体の表面によってその元の方向に少なくとも部分的に反射される。
２．前記構造体の表面を介して構造体に入る光は、少なくとも部分的に透過される。
【００２３】
本発明の好ましい実施態様において、単一の構造体は好ましくは、構造体が含まれる頂上部を除いて、全表面の上で収束しなければならない。底面と任意の表面との間の角度が９０°以下でなければならないことを特徴とする。
【００２４】
本発明の好ましい実施態様において、透明なカバープレートは、隣接する構造体が互いに接触している幾何光学的レリーフ構造体のアレイを含有する。この構造体は、全ての構造体の配向が互いに同じ、交互又はランダムであるように配置され得る。
【００２５】
多角形底面の端が円の周辺ライン上にある円によって光学的構造体のｎ−多角形底面を描く場合、円の直径Ｄは好ましくは３０ｍｍ未満、更に好ましくは１０ｍｍ未満、最も好ましくは３ｍｍ未満である。
【００２６】
構造体の高さは、底面の直径Ｄに依存し、好ましくは０．１＊Ｄ〜２＊Ｄの間である。
【００２７】
本発明による光起電力素子の好ましい実施態様において、光学的レリーフ構造体のアレイの表面はコーティングで被覆されている。コーティングは防曇コーティング、防汚コーティング、耐引掻きコーティング等であってよい。
【００２８】
本発明による光起電力素子の更に好ましい実施態様において、コーティングは光学的レリーフ構造体とは異なる屈折率を有し、コーティングの形状は幾何光学的レリーフ構造体のアレイと相補的であり、そしてコーティングを有する光起電力素子はさらに非レリーフ構造体を有する。例えば、高屈折率の材料で光学的レリーフ構造体を作り出して、被覆後にレリーフ構造体がなくなるようにこれを低屈折率の材料で被覆することが可能である。換言すれば、高屈折率の光学的レリーフ構造体は、低屈折率の材料で「満たされる」。
【００２９】
光学的レリーフ構造体を含むカバープレートは、任意の透明な材料で作られてよい。透明な材料は４００〜１２００ｎｍの範囲内で０．２ｍｍ-１未満の線吸収を有する材料として理解されるべきである。好ましくは、光学的レリーフ構造体はポリマー材料で作られている。ポリマー材料の例は、ポリカーボネート、ポリメチルメタクリレート、ポリプロピレン、ポリエチレン、ポリアミド、ポリアクリルアミド又はそれらの任意の組み合わせである。ポリマーは好ましくはＵＶ吸収剤及び／又はヒンダードアミン光安定剤によって安定化される。
【００３０】
別の好ましい実施態様において、光学的レリーフ構造体はガラス、例えば、ケイ酸塩ガラス又は石英ガラスで作られている。
【００３１】
プレートの厚さは、好ましくは３０ｍｍ未満、更に好ましくは１０ｍｍ未満、最も好ましくは３ｍｍ未満である。
【００３２】
本発明による光学的レリーフ構造体を含むカバープレートは、当該技術分野で公知のプロセス、例えば、射出成形、熱記録、レーザ構造化、フォトリソグラフィー法、粉末プレス成形、キャスティング、粉砕又はホットプレスによって得られてよい。
【００３３】
低いスペクトル反応、特に低い波長の、光起電力素子の活性層の影響を克服するために、発光染料を活性層の上又はその上部に適用してよい。前記発光染料は、素子のスペクトル反応を、前記層によって効率的に使用されない波長を、更に効率的に使用される波長に変換することによって改善する。染料の発光分子は短波長を吸収して長い波長で再び発光する。
【００３４】
従って、本発明は、発光染料が、光学的レリーフ構造体のアレイを含有する透明なカバープレートに存在することが最初に記載された、光起電力素子にも関する。
【００３５】
しかしながら、発光染料の発光分子によって発光された光の一部は、先行技術の光起電力素子の活性層によって使用できない。なぜなら、光が活性層から離れる方向に向かうか、又は光がその高い屈折率のために前記層によって反射されるからである。その結果、発光染料は、実際には、先行技術の光起電力素子の効率を約２％だけ向上させ得る（H.J. Hovelら、Solar energy materials, 2, 19-29 (1979年)）。
【００３６】
本発明による光起電力素子と当該技術分野で公知の発光染料とを組み合わせた場合、驚くことに、光起電力素子のスペクトル反応が、発光染料の発光分子の単純な付加から予想され得ることを超えて改善されるという相乗効果が生じる。
【００３７】
しかしながら、発光分子が透明なカバープレートに付加される場合、前記プレートが４００〜１２００ｎｍの間の少なくとも１部の波長範囲内で不透明になり得ることに留意すべきである。
【００３８】
発光分子を本発明による光学的レリーフ構造体を含む透明なカバープレートに付加する場合、光起電力素子のスペクトル反応は非構造化表面と比較して改善される（図２を参照のこと）。光学的構造体を含む透明なカバープレートは、発光光の反射損失を低減し且つ活性層から発光された発光光を活性層に向け直すことによって、光起電力素子の活性層の受光表面で、発光分子によって発光される光の吸収を増加させる。発光分子は、好ましくはプレートの内部に分布されるが、光学的レリーフ構造体のアレイを含有する透明なカバープレートと、光起電力素子の活性層の受光面との間の分離層にも存在し得る。光学的レリーフ構造体及び／又は発光分子を含有する層を含む透明なカバープレートと、光起電力素子の活性層の受光面との間の光学的接触が要求されている。
【００３９】
本発明による光学的構造体のアレイも、要求された発光染料の濃度及び層厚さを低下させ得る。発光染料によって別の波長に変換される光の量は、前記染料によって吸収される光の量に関連し、これは同様にランベルト・ベールの法則による層厚さ及び染料濃度に関連する：
吸収＝ε＊［Ｃ］＊Ｉ  （１）
ε＝モル吸光係数［Ｌモル−１ｃｍ−１］
［Ｃ］＝染料の濃度［モルＬ−１］
Ｉ＝層厚さ［ｃｍ］
【００４０】
殆どの入射光が確実に吸収されるために、発光分子は、ε、Ｉ又は［Ｃ］のいずれかが大きくなるように最適に使用される。εは染料の固有の特性であり且つ変更できないので、［Ｃ］は、発光染料がポリマーなどのマトリックス材料への制限された溶解性を有するために制限されており、従って、これは厚い層（Ｉ）を有する必要がある。要求される厚い層及び発光染料自体の高い費用のために、これは比較的高価である。
【００４１】
従って、本発明による光学的構造体のアレイと組み合わせた発光分子の相乗効果は、出力の増加に制限されない。光学的構造体のアレイも、発光染料を含有する層への入射光の光路長を増大させる。その結果、より低い濃度の発光分子及び薄層を、効率を低下させずに使用することができる。
【００４２】
発光分子は、例えば、蛍光又はリン光に使用してよく、前記分子はダウンコンバージョン発光及びアップコンバージョン発光の両方であってよい。有利な分子は蛍光性であり且つ例えば、ペリレン、クマリン、ローダミン、ナフタルイミド、ベンゾキサンテン、アクリジン、アウラミン、ベンズアントロン、シアニン、スチルベン、ルブレン、レシフェリン（leciferin）又はそれらの誘導体であってよい。
【００４３】
従って、発光分子を含有する発光染料は好ましくは有機染料である。しかしながら、発光染料は、無機染料であってもよい。好ましくは、発光染料は、透明なカバープレートを形成するポリマーを安定化するためのＵＶ吸収剤として作用する。
【００４４】
発光染料は、複数の発光染料の混合物を含んでよい。発光染料の濃度は、好ましくは、カバープレート表面ｍ２当たり及びカバープレート厚さｍｍ当たり染料０．００１〜５０グラムの間にある。
【００４５】
光学的接触が達成されるかどうかは、光学的レリーフ構造体のアレイ及び光起電力素子を含む透明なプレートを接続する媒体又はメディアの屈折率に依存する。前記構成要素間にメディアが存在していない場合、光学的接触はデフィニション毎に達成される。他の全ての場合、光学的接触は、構成要素間の媒体又はメディアの屈折率が平均少なくとも１．２である時に達成される。更に好ましくは、媒体又はメディアの屈折率は平均少なくとも１．３であり、最も好ましくは媒体の屈折率は少なくとも１．４である。媒体の屈折率を測定するためには、アッベ屈折計を使用すべきである。
【００４６】
例えば、光学的構造体を含む透明なカバープレートがｎ＝１．５（ｎは屈折率である）のポリメチルメタクリレートで作られ、光起電力素子の活性層がｎ＝３．８（ｎは屈折率である）のシリコンで作られ、且つこれらの２つの構成要素間の媒体がｎ＝１（ｎは屈折率である）の空気である場合、光学的接触は達成されない。
【００４７】
光学的構造体のアレイを含む透明なカバープレートがｎ＝１．５（ｎは屈折率である）のポリメチルメタクリレートで作られ、光起電力素子の活性層がｎ＝３．８（ｎは屈折率である）のシリコンで作られ、且つ媒体がｎ＝１．５（ｎは屈折率である）の屈折率を有する接着剤である場合、光学的接触は達成される。
【００４８】
光学的接触が達成されるかどうかは、透明なカバープレート及び／又は発光分子を含む層と光起電力素子の活性層の受入面との間の距離に依存しない。
【００４９】
本発明は、少なくとも１つの活性層と、１つの側面上に幾何光学的レリーフ構造体のアレイを含有し且つ光起電力素子の少なくとも１つの活性層の受入面と光学的に接触する透明なカバープレートとを含み、それによって前記光学的レリーフ構造体が底面及び単一の平坦な頂上部を含み、これらが少なくとも３つのｎ−多角形表面（ｎは３以上である）によってつながっている光起電力素子に関する。本発明を考慮すると、光起電力素子と組み合わせて使用するために、幾何光学的レリーフ構造体のアレイを少なくとも１つの側面上に含むプレートも本発明の範囲内にある。
【００５０】
本発明は以下の図面によって更に説明される。
【図面の簡単な説明】
【００５１】
【図１】図１は、底面及び平坦な頂上部を含み、これらが少なくとも３つのｎ−多角形表面（ｎは３以上である）によってつながっている光学的構造体を概略的に示す。
【００５２】
図１に示す通り、この構造体は平坦な頂上部を示し、この平坦な頂上部の寸法は変数である。平坦な頂上部の表面は、１ミクロン〜１０ｍｍ、好ましくは１０ミクロン〜５ｍｍ、最も好ましくは１００ミクロン〜１ｍｍの寸法であってよい。平坦な頂上部の表面にある全ての点が構造体の底面に対して同じ距離を有することが好ましい。更に、平坦な頂上部の表面（平坦領域）は、底面に対して垂直な直線で測定して、底面までの距離が最も長い所に配置される。これは平坦な頂上部の表面を構成する全ての点が、底面に対して垂直な直線で測定して、底面までの距離が最も長い所に配置されることを意味する。
【図１】
2013507756.tif 000003
【手続補正書】
【提出日】平成23年9月15日(2011.9.15)
【手続補正１】
【補正対象書類名】明細書
【補正対象項目名】００１２
【補正方法】変更
【補正の内容】
【００１２】
光起電力素子は、少なくとも１つの活性層と、１つの側面上に幾何光学的レリーフ構造体のアレイを含有し且つ光起電力素子の少なくとも１つの活性層の受光面と光学的に接触している透明なカバープレートとを含み、それによって前記光学的レリーフ構造体が底面及び単一の平坦な頂上部を含み、これらは少なくとも３つのｎ−多角形表面（ｎは５以上である）によってつながっている。
【手続補正２】
【補正対象書類名】明細書
【補正対象項目名】００１３
【補正方法】変更
【補正の内容】
【００１３】
光起電力素子は、少なくとも１つの活性層と、第１の側面上に幾何光学的レリーフ構造体のアレイを含有し且つ第２の側面で光起電力素子の少なくとも１つの活性層の受光面と光学的に接触している透明なカバープレートとを含み、それによって前記光学的レリーフ構造体が底面及び単一の平坦な頂上部を含み、これらが少なくとも３つのｎ−多角形表面（ｎは５以上である）によってつながっている。
【手続補正３】
【補正対象書類名】明細書
【補正対象項目名】００２０
【補正方法】削除
【補正の内容】
【手続補正４】
【補正対象書類名】明細書
【補正対象項目名】００４８
【補正方法】変更
【補正の内容】
【００４８】
光学的接触が達成されるかどうかは、透明なカバープレート及び／又は発光分子を含む層と光起電力素子の活性層の受光面との間の距離に依存しない。
【手続補正５】
【補正対象書類名】明細書
【補正対象項目名】００４９
【補正方法】変更
【補正の内容】
【００４９】
本発明は、少なくとも１つの活性層と、１つの側面上に幾何光学的レリーフ構造体のアレイを含有し且つ光起電力素子の少なくとも１つの活性層の受光面と光学的に接触する透明なカバープレートとを含み、それによって前記光学的レリーフ構造体が底面及び単一の平坦な頂上部を含み、これらが少なくとも３つのｎ−多角形表面（ｎは３以上である）によってつながっている光起電力素子に関する。本発明を考慮すると、光起電力素子と組み合わせて使用するために、幾何光学的レリーフ構造体のアレイを少なくとも１つの側面上に含むプレートも本発明の範囲内にある。
【手続補正６】
【補正対象書類名】特許請求の範囲
【補正対象項目名】全文
【補正方法】変更
【補正の内容】
【特許請求の範囲】
【請求項１】
少なくとも１つの活性層と、１つの側面上に幾何光学的レリーフ構造体のアレイを含有し且つ光起電力素子の前記少なくとも１つの活性層の受光面と光学的に接触している透明なカバープレートとを含む光起電力素子であって、前記光学的レリーフ構造体が底面及び単一の平坦な頂上部を含み、これらが少なくとも３つのｎ−多角形表面（ｎは５以上である）によってつながっていることを特徴とする、光起電力素子。
【請求項２】
少なくとも１つの活性層と、第１の側面上に幾何光学的レリーフ構造体のアレイを含有し且つ第２の側面で光起電力素子の前記少なくとも１つの活性層の受光面と光学的に接触している透明なカバープレートとを含む光起電力素子であって、前記光学的レリーフ構造体が底面及び単一の平坦な頂上部を含み、これらが少なくとも３つのｎ−多角形表面（ｎは５以上である）によってつながっていることを特徴とする、光起電力素子。
【請求項３】
光学的レリーフ構造体の底面がｍ側面の多角形形状であり且つ前記光学的構造体が少なくともｍ＋１個の表面を含有することを特徴とする、請求項１又は２に記載の光起電力素子。
【請求項４】
透明なカバープレートが、隣接する構造体が互いに接触している幾何光学的レリーフ構造体のアレイを含有することを特徴とする、請求項１から３までのいずれか１項に記載の光起電力素子。
【請求項５】
透明なカバープレートが、互いに同じ配向、交互の配向又はランダムな配向を有する幾何光学的レリーフ構造体のアレイを含有することを特徴とする、請求項１から４までのいずれか１項に記載の光起電力素子。
【請求項６】
光学的レリーフ構造体のアレイの表面がコーティングで被覆されていることを特徴とする、請求項１から５までのいずれか１項に記載の光起電力素子。
【請求項７】
コーティングが光学的レリーフ構造体とは異なる屈折率を有し、コーティングの形状が幾何光学的レリーフ構造体のアレイと相補的であり、且つコーティングを有する光起電力素子がさらに非レリーフ構造体を有することを特徴とする、請求項６に記載の光起電力素子。
【請求項８】
１つの側面に幾何光学的レリーフ構造体のアレイを含有する透明なカバープレートがガラス又はポリマー材料で作られていることを特徴とする、請求項１から７までのいずれか１項に記載の光起電力素子。
【請求項９】
ポリマーがポリメチルメタクリレート又はポリカーボネートであることを特徴とする、請求項８に記載の光起電力素子。
【請求項１０】
ポリマーがＵＶ吸収剤及び／又はヒンダードアミン光安定剤によって安定化されることを特徴とする、請求項８又は９に記載の光起電力素子。
【請求項１１】
発光染料が、光学的レリーフ構造体のアレイを含有する透明なカバープレートに存在することを特徴とする、請求項１から１０までのいずれか１項に記載の光起電力素子。
【請求項１２】
発光染料が、光学的レリーフ構造体のアレイを含有する透明なカバープレートと光起電力素子の活性層の受光面との間の層に存在することを特徴とする、請求項１から１１までのいずれか１項に記載の光起電力素子。
【請求項１３】
発光染料の濃度が、カバープレート表面ｍ２当たり及びカバープレート厚さｍｍ当たり染料０．００１〜５０グラムの間であることを特徴とする、請求項１から１２までのいずれか１項に記載の光起電力素子。
【請求項１４】
発光染料が有機染料又は無機染料であることを特徴とする、請求項１２又は１３に記載の光起電力素子。
【請求項１５】
発光染料がポリマーを安定化するためのＵＶ吸収剤として作用するが、但し、少なくとも１つの側面上に幾何光学的レリーフ構造体のアレイを含有する透明なカバープレートがポリマー材料で作られていることを特徴とする、請求項１２から１４までのいずれか１項に記載の光起電力素子。
【国際調査報告】
2013507756.tif 000004
2013507756.tif 000005
2013507756.tif 000006